(57)【要約】【課題】  公共の場所などでの携帯電話の使用を適切に制限することを可能にし、しかも、携帯電話の使用制限の内容の確実性や多様性を確保できるようにする。【解決手段】  通常エリア３００内に新たな空間である使用制限エリア２００を設ける。指向性アンテナ装置２０１は、使用制限エリア２００に存在する携帯電話１０を検知できるように各使用制限エリア２００に設置される。使用制限エリア２００の管理端末２０２は、指向性アンテナ装置２０１を介して当該使用制限エリア２００内に持ち込まれた携帯電話１０の使用制限を行い、当該使用制限エリア２００外に持ち出された携帯電話１０の使用制限を解除する制御を行う。管理センタ１００は、管理端末２０２から通知される各使用制限エリア２００内の携帯電話１０の位置情報を管理しており、使用制限エリア２００内の携帯電話に電話呼び出しを行った電話に対して通話不能等の旨を通報する。【選択図】        図１
2005197979.tif 000002
【特許請求の範囲】
【請求項１】
管理センタにより管理される携帯電話管理システムにおいて、
通常エリア内に新たな空間である使用制限エリアを設けた上で、
使用制限エリアに存在する携帯電話を検知できるように各使用制限エリアに設置される指向性アンテナ装置と、
前記指向性アンテナ装置を介して当該使用制限エリア内に持ち込まれた携帯電話の使用制限を行い、当該使用制限エリア外に持ち出された携帯電話の使用制限を解除する制御を行う当該使用制限エリアの管理端末と、
前記管理端末から通知される各使用制限エリア内の携帯電話の位置情報を管理しており、使用制限エリア内の携帯電話に電話呼び出しを行った電話に対して当該携帯電話が使用制限中であることを通報する前記管理センタと
を有することを特徴とする携帯電話使用制限方式。
【請求項２】
各通常エリアに対して設置されたアンテナ装置を介して各通常エリアにある各携帯電話を管理する管理センタを備える携帯電話管理システムにおいて、
通常エリア内に設けられた使用制限エリアの全域を影響下におくように設置され、使用制限エリアの内／外への携帯電話の移動が生じた場合にその旨を検知し、使用制限エリア内の携帯電話との間の送受信および最寄りのアンテナ装置との間の送受信を行う指向性アンテナ装置と、
各使用制限エリアに対して設置され、前記指向性アンテナ装置を介して、自己に対する使用制限エリア内に存在する携帯電話の位置を把握してその位置情報を前記管理センタに通知し、携帯電話が当該使用制限エリア内に移動した場合に前記指向性アンテナを介して当該携帯電話の使用制限の制御を行い、携帯電話が当該使用制限エリア外に移動した場合に最寄りのアンテナ装置を介して当該携帯電話の使用制限の解除の制御を行う管理端末と、
使用制限エリア内にある携帯電話への電話呼び出しが生じた場合に、当該携帯電話が使用制限エリア内にある旨を示すメッセージ信号を、呼び出し元の電話に対して通報する前記管理センタと
を有することを特徴とする携帯電話使用制限方式。
【請求項３】
自己に対する使用制限エリアが通常エリア間を移動した場合に、その移動によって変化した当該使用制限エリアおよびその中の携帯端末の位置情報を前記管理センタに通知する機能を備える前記管理端末を有することを特徴とする請求項２記載の携帯電話使用制限方式。
【請求項４】
各使用制限エリアに対する管理端末が、
指向性アンテナ装置で収集された位置情報を把握することにより、携帯電話が当該管理端末により管理されている使用制限エリア内に入ってきたことや携帯電話が当該使用制限エリア外に出ていったことを示す情報を管理し、その旨を示す情報を指向性アンテナ装置から最寄りのアンテナ装置を介して管理センタに送信する機能を持つ位置情報管理手段と、
携帯電話が使用制限エリア内に移動した場合に指向性アンテナ装置を介して当該携帯電話に対して使用制限信号を送信し、携帯電話が使用制限エリア外に移動した場合に指向性アンテナ装置および最寄りのアンテナ装置を介して当該携帯電話に制限解除信号を送信する使用制限制御手段とを備えることと、
管理センタが、
「各携帯電話が使用制限エリアに存在するか否か、存在する場合にはどの使用制限エリアに存在するかを示す情報」を含む携帯電話の位置情報を登録・管理する位置情報管理部を備えることと、
を特徴とする請求項２記載の携帯電話使用制限方式。
【請求項５】
各使用制限エリアに対する管理端末が、
指向性アンテナ装置で収集された位置情報を把握することにより、携帯電話が当該管理端末により管理されている使用制限エリア内に入ってきたことや携帯電話が当該使用制限エリア外に出ていったことを示す情報を管理し、その旨を示す情報を指向性アンテナ装置から最寄りのアンテナ装置を介して管理センタに送信する機能を持つ位置情報管理手段と、
携帯電話が使用制限エリア内に移動した場合に指向性アンテナ装置を介して当該携帯電話に対して使用制限信号を送信し、携帯電話が使用制限エリア外に移動した場合に指向性アンテナ装置および最寄りのアンテナ装置を介して当該携帯電話に制限解除信号を送信する使用制限制御手段と、
自己が管理する使用制限エリアが通常エリア間を移動した場合に、当該使用制限エリアおよびその中に存在する携帯端末が移動先の通常エリアに所属するようになったことおよび移動元の通常エリアに所属しなくなったことを示す情報を管理センタに通知することにより、管理センタ内の位置情報管理部の登録情報の更新を促すための制御を行うエリア間移動管理手段とを備えることと、
管理センタが、
「各携帯電話が使用制限エリアに存在するか否か、存在する場合にはどの使用制限エリアに存在するかを示す情報」を含む使用制限エリアおよび携帯電話の位置情報を登録・管理する前記位置情報管理部を備えることと、
を特徴とする請求項３記載の携帯電話使用制限方式。
【請求項６】
携帯電話の使用制限の内容が当該携帯電話の電源のオフであり、制限解除の内容が電源のオンであることを特徴とする請求項１，請求項２，請求項３，請求項４または請求項５記載の携帯電話使用制限方式。
【請求項７】
携帯電話の使用制限の内容として複数の制限内容を段階的に適用することが可能であることを特徴とする請求項１，請求項２，請求項３，請求項４または請求項５記載の携帯電話使用制限方式。
【請求項８】
通常エリア内に設けられた使用制限エリアを有する携帯電話管理システムにおいて、
携帯電話使用制限エリア内移動時の処理が、
携帯電話が使用制限エリア内に移動した場合に当該使用制限エリア内の管理端末が指向性アンテナ装置による検知に基づき当該携帯電話の移動を認識する第１のステップと、当該管理端末が前記第１のステップの認識に基づき当該携帯電話に対して使用制限信号を送信する第２のステップと、当該携帯電話が使用制限信号を受信して自己の使用制限の制御を行う第３のステップと、当該管理端末が当該使用制限エリア内の全ての携帯電話の最新位置情報を指向性アンテナ装置から最寄りのアンテナ装置を介して管理センタに通知し、管理センタがその通知に基づき位置情報の登録内容を更新する第４のステップとからなり、
携帯電話使用制限エリア外移動時の処理が、
携帯電話が使用制限エリア外に移動した場合に当該使用制限エリア内の管理端末が指向性アンテナ装置による検知に基づき当該携帯電話の移動を認識する第５のステップと、当該管理端末が前記第５のステップの認識に基づき最寄りのアンテナ装置を介し当該携帯電話に対して制限解除信号を送信する第６のステップと、当該携帯電話が制限解除信号を受信して自己の使用制限を解除する第７のステップと、当該管理端末が当該使用制限エリア内の全ての携帯電話の最新位置情報を指向性アンテナ装置から最寄りのアンテナ装置を介して管理センタに通知し、管理センタがその通知に基づき位置情報の登録内容を更新する第８のステップとからなり、
使用制限エリア内携帯電話呼び出し時の処理が、
制限エリア外エリア内の電話が使用制限エリア内の携帯電話に電話呼び出しを行う第９のステップと、位置情報の登録内容によって当該携帯電話が使用制限エリア内に存在していることを確認した管理センタが、呼び出し元の電話の存在する通常エリア内のアンテナ装置から当該電話に「通話先の携帯電話が使用制限エリアにある旨」を示すメッセージ信号を送信する第１０のステップと、当該電話が上記のメッセージ信号を受信し、その保有者が「通話先の携帯電話が使用制限エリアに存在し通話できないこと」を認識する第１１のステップとからなる、
ことを特徴とする携帯電話使用制限方法。
【請求項９】
通常エリア内に設けられた使用制限エリアを有する携帯電話管理システムにおいて、
請求項８記載の第１のステップ〜第１１のステップを有し、
携帯電話使用制限システム停止時の処理が、
携帯電話使用制限システムの動作を停止した場合に、各使用制限エリアの管理端末が管理センタからの指示を受けてシステム停止モードとなり、当該各管理端末が自己の管理する使用制限エリア内にある全ての携帯電話の位置情報を制限エリア外エリア内の情報として設定変更する第１２のステップと、当該各管理端末が前記第１２のステップの設定変更後の位置情報を指向性アンテナ装置から最寄りのアンテナ装置を介して管理センタに通知する第１３のステップと、当該各管理端末が自己の管理する使用制限エリア内にある全ての携帯電話に対して制限解除信号を送信する第１４のステップと、各携帯電話が制限解除信号を受信して自己の使用制限を解除する第１５のステップとからなり、
携帯電話使用制限システム起動時の処理が、
停止していた携帯電話使用制限システムが起動した場合に、各管理端末が管理センタからの指示によりシステム起動モードとなる第１６のステップと、各使用制限エリア内の管理端末が当該使用制限エリア内の全ての携帯電話の位置情報を指向性アンテナ装置による検知に基づき認識する第１７のステップと、当該各管理端末が前記第１７のステップの認識に基づき自己の存在する使用制限エリア内の全ての携帯電話に対して使用制限信号を送信する第１８のステップと、各携帯電話が使用制限信号を受信して自己の使用制限の制御を行う第１９のステップと、各管理端末が自己の管理する使用制限エリア内の全ての携帯電話の最新位置情報を指向性アンテナ装置から最寄りのアンテナ装置を介して管理センタに通知する第２０のステップとからなる、
ことを特徴とする携帯電話使用制限方法。
【請求項１０】
通常エリア内に設けられた移動しうる使用制限エリアを有する携帯電話管理システムにおいて、
請求項８記載の第１のステップ〜第１１のステップを有し、
通常エリア間使用制限エリア移動時の処理が、ある使用制限エリアがある通常エリアから他の通常エリアに移動した場合に、当該使用制限エリア内の管理端末がその移動を認識する第２１のステップと、当該管理端末が当該使用制限エリアおよびその中の全ての携帯電話の最新位置情報を指向性アンテナ装置から移動先の通常エリアのアンテナ装置を介して管理センタに通知し、管理センタがその通知に基づき位置情報の登録内容を更新する第２２のステップとからなることを特徴とする携帯電話使用制限方法。
【請求項１１】
通常エリア内に設けられた移動しうる使用制限エリアを有する携帯電話管理システムにおいて、
請求項９記載の第１のステップ〜第２０のステップを有し、
通常エリア間使用制限エリア移動時の処理が、ある使用制限エリアがある通常エリアから他の通常エリアに移動した場合に、当該使用制限エリア内の管理端末がその移動を認識する第２１のステップと、当該管理端末が当該使用制限エリアおよびその中の全ての携帯電話の最新位置情報を指向性アンテナ装置から移動先の通常エリアのアンテナ装置を介して管理センタに通知し、管理センタがその通知に基づき位置情報の登録内容を更新する第２２のステップとからなることを特徴とする携帯電話使用制限方法。
【請求項１２】
携帯電話管理システムにおいて、各使用制限エリアに対する管理端末を、指向性アンテナ装置で収集された位置情報を把握することにより、携帯電話が当該管理端末により管理されている使用制限エリア内に入ってきたことや携帯電話が当該使用制限エリア外に出ていったことを示す情報を管理し、その旨を示す情報を指向性アンテナ装置から最寄りのアンテナ装置を介して管理センタに送信する位置情報管理手段，ならびに携帯電話が使用制限エリア内に移動した場合に指向性アンテナ装置を介して当該携帯電話に対して使用制限信号を送信し、携帯電話が使用制限エリア外に移動した場合に指向性アンテナ装置および最寄りのアンテナ装置を介して当該携帯電話に制限解除信号を送信する使用制限制御手段として機能させるためのプログラム。
【請求項１３】
携帯電話管理システムにおいて、各使用制限エリアに対する管理端末を、指向性アンテナ装置で収集された位置情報を把握することにより、携帯電話が当該管理端末により管理されている使用制限エリア内に入ってきたことや携帯電話が当該使用制限エリア外に出ていったことを示す情報を管理し、その旨を示す情報を指向性アンテナ装置から最寄りのアンテナ装置を介して管理センタに送信する位置情報管理手段，携帯電話が使用制限エリア内に移動した場合に指向性アンテナ装置を介して当該携帯電話に対して使用制限信号を送信し、携帯電話が使用制限エリア外に移動した場合に指向性アンテナ装置および最寄りのアンテナ装置を介して当該携帯電話に制限解除信号を送信する使用制限制御手段，ならびに自己が管理する使用制限エリアが通常エリア間を移動した場合に、当該使用制限エリアおよびその中に存在する携帯端末が移動先の通常エリアに所属するようになったことおよび移動元の通常エリアに所属しなくなったことを示す情報を管理センタに通知することにより、管理センタ内の位置情報管理部の登録情報の更新を促すための制御を行うエリア間移動管理手段として機能させるためのプログラム。
【発明の詳細な説明】
【技術分野】
【０００１】
本発明は、電車内，本屋，図書館，コンサートホール等の公共の場所などにおける使用制限エリア（携帯電話の使用を制限すべきエリア）内に携帯電話を持ち込んだ場合において、携帯電話の使用制限を確実に実現できるようにするための携帯電話使用制限方式および携帯電話使用制限方法に関する。
【背景技術】
【０００２】
携帯電話は、今や、日本人の２人に１台以上の割合で普及して必需品になっている。このような普及の結果、携帯電話のマナーを守らない人も急増している。例えば、電車内では、毎回、車掌による携帯電話使用禁止のアナウンスがあるにも関わらず、無視して通話を行う人は多い。また、そのようなマナー違反の人に対して注意をした乗客とその携帯電話使用者との間でけんかが起こることもある。また、携帯電話の出荷量の半分以上がカメラ付き携帯電話になった今、本屋における「デジタル万引き」という新たな問題も発生している。その他にも、図書館やコンサートホール等の公共の場所における使用すべきでない場所で、携帯電話が使用されることは多く見うけられる。
【０００３】
本発明は、携帯電話の使用を制限すべきエリアでの携帯電話の使用に関して、上述のようなマナーの悪さが目立つようになってきたことに鑑み、考え出されたものである。これらの特定の使用制限エリアで本発明を利用すれば、上記のような問題（マナー違反の携帯電話の使用に起因する問題）も発生せず、快適に公共の場所を利用することができるようになる。
【０００４】
ところで、従来技術において、携帯電話の使用を制限すべき場所で携帯電話の使用制限の実現を図る方式としては、例えば、特許文献１に記載された技術（携帯電話システム）が存在する。
【０００５】
この従来技術は、携帯電話の使用を制限すべき建物の入口に簡易基地局装置を設置し、そこを通過する携帯電話に対して電源のオフ（ＯＦＦ）／オン（ＯＮ）制御を行う仕組みに関する方式を提供している。
【０００６】
当該従来技術の場合、建物の入口に簡易基地局装置を設置し、そこを通過する携帯電話の電源のオフ／オンを制御する信号を発信しているため、当該入口を通過する時点で携帯電話の電源をオフ状態として当該建物の中に入って、当該簡易基地局装置からの電波が届かない当該建物の中で電源をオンとした場合には通話が可能となってしまうという問題が残ることとなっていた。
【特許文献１】特開平１１−０６９４１２号公報
【発明の開示】
【発明が解決しようとする課題】
【０００７】
上述のように、従来においては、携帯電話の使用に関して、公共の場所での携帯電話の使用について各使用者のマナーに任されているにもかかわらず、マナーの悪さが目立つようになってきたため、使用すべきでない場所での使用が頻発し、他人への迷惑や係争が発生し、快適に公共の場所を利用することが難しくなるという問題が生じていた。
【０００８】
また、特許文献１に記載された技術のように、特定の建物の入口で電源をオフにする方式では、以下に示すような問題点が生じていた。
【０００９】
第１に、先にも言及したように、当該従来技術の場合、建物の入口に簡易基地局装置を設置し、そこを通過する携帯電話の電源のオフ／オンを制御する信号を発信しているため、当該入口を通過する時点で携帯電話の電源をオフ状態として当該建物の中に入って、当該簡易基地局装置からの電波が届かない当該建物の中で電源をオンとした場合には通話が可能となってしまうという問題点が残ることとなっていた。
【００１０】
第２に、当該従来技術では、特定のエリアとして電車内やバス内等の移動するエリアが考慮されていないので、携帯電話を持った人が電車やバス等に乗車して移動した場合に、当該携帯電話の位置等を管理する管理センタで適切な対応ができないという問題点があった。
【００１１】
本発明の目的は、上述の点に鑑み、携帯電話が使用できる通常の環境（エリア）内の一部に新たなエリアとして、指向性アンテナ装置（指向性のあるアンテナ装置）が設置された使用制限エリアを作成し、その使用制限エリアでの携帯電話の電源のオフ制御やメッセージ（使用できない主旨のメッセージ）の通知を行う仕組み（使用制限を可能にする仕組み）を実現し、公共の場所などでの携帯電話の使用を適切に制限することを可能にし、しかも、携帯電話の使用制限の内容の確実性や多様性を確保できる携帯電話使用制限方式（携帯電話使用制限方法や携帯電話使用制限方式を実現するためのプログラムを含む）を提供することにある。
【課題を解決するための手段】
【００１２】
本発明の携帯電話使用制限方式は、管理センタにより管理される携帯電話管理システムにおいて、通常エリア内に新たな空間である使用制限エリアを設けた上で、使用制限エリアに存在する携帯電話を検知できるように各使用制限エリアに設置される指向性アンテナ装置と、前記指向性アンテナ装置を介して当該使用制限エリア内に持ち込まれた携帯電話の使用制限を行い、当該使用制限エリア外に持ち出された携帯電話の使用制限を解除する制御を行う当該使用制限エリアの管理端末と、前記管理端末から通知される各使用制限エリア内の携帯電話の位置情報を管理しており、使用制限エリア内の携帯電話に電話呼び出しを行った電話に対して当該携帯電話が使用制限中であることを通報する前記管理センタとを有する。
【００１３】
なお、本発明の携帯電話使用制限方式は、より具体的には、各通常エリアに対して設置されたアンテナ装置を介して各通常エリアにある各携帯電話を管理する管理センタを備える携帯電話管理システムにおいて、通常エリア内に設けられた使用制限エリアの全域を影響下におくように設置され、使用制限エリアの内／外への携帯電話の移動が生じた場合にその旨を検知し、使用制限エリア内の携帯電話との間の送受信および最寄りのアンテナ装置との間の送受信を行う指向性アンテナ装置と、各使用制限エリアに対して設置され、前記指向性アンテナ装置を介して、自己に対する使用制限エリア内に存在する携帯電話の位置を把握してその位置情報を前記管理センタに通知し、携帯電話が当該使用制限エリア内に移動した場合に前記指向性アンテナを介して当該携帯電話の使用制限の制御を行い、携帯電話が当該使用制限エリア外に移動した場合に最寄りのアンテナ装置を介して当該携帯電話の使用制限の解除の制御を行う管理端末と、使用制限エリア内にある携帯電話への電話呼び出しが生じた場合に、当該携帯電話が使用制限エリア内にある旨を示すメッセージ信号を、呼び出し元の電話に対して通報する前記管理センタとを有すると表現することができる。ここで、前記管理端末は、上記に加えて、自己に対する使用制限エリアが通常エリア間を移動した場合に、その移動によって変化した当該使用制限エリアおよびその中の携帯端末の位置情報を前記管理センタに通知する機能を備えるようにすることも可能である。
【００１４】
さらに具体的には、本発明の携帯電話使用制限方式は、各使用制限エリアに対する管理端末が、指向性アンテナ装置で収集された位置情報を把握することにより、携帯電話が当該管理端末により管理されている使用制限エリア内に入ってきたことや携帯電話が当該使用制限エリア外に出ていったことを示す情報を管理し、その旨を示す情報を指向性アンテナ装置から最寄りのアンテナ装置を介して管理センタに送信する機能を持つ位置情報管理手段と、携帯電話が使用制限エリア内に移動した場合に指向性アンテナ装置を介して当該携帯電話に対して使用制限信号を送信し、携帯電話が使用制限エリア外に移動した場合に指向性アンテナ装置および最寄りのアンテナ装置を介して当該携帯電話に制限解除信号を送信する使用制限制御手段とを備えることと、管理センタが、「各携帯電話が使用制限エリアに存在するか否か、存在する場合にはどの使用制限エリアに存在するかを示す情報」を含む使用制限エリアや携帯電話の位置情報を登録・管理する位置情報管理部を備えることと、を特徴とするように構成することが考えられる。ここで、前記管理端末は、上記に加えて、自己が管理する使用制限エリアが通常エリア間を移動した場合に、当該使用制限エリアおよびその中に存在する携帯端末が移動先の通常エリアに所属するようになったことおよび移動元の通常エリアに所属しなくなったことを示す情報を管理センタに通知することにより、管理センタ内の位置情報管理部の登録情報の更新を促すための制御を行うエリア間移動管理手段を備えるように構成することも可能である。
【００１５】
また、本発明は、通常エリア内に設けられた使用制限エリアを有する携帯電話管理システムにおいて、携帯電話使用制限エリア内移動時の処理が、携帯電話が使用制限エリア内に移動した場合に当該使用制限エリア内の管理端末が指向性アンテナ装置による検知に基づき当該携帯電話の移動を認識する第１のステップと、当該管理端末が前記第１のステップの認識に基づき当該携帯電話に対して使用制限信号を送信する第２のステップと、当該携帯電話が使用制限信号を受信して自己の使用制限の制御を行う第３のステップと、当該管理端末が当該使用制限エリア内の全ての携帯電話の最新位置情報を指向性アンテナ装置から最寄りのアンテナ装置を介して管理センタに通知し、管理センタがその通知に基づき位置情報の登録内容を更新する第４のステップとからなり、携帯電話使用制限エリア外移動時の処理が、携帯電話が使用制限エリア外に移動した場合に当該使用制限エリア内の管理端末が指向性アンテナ装置による検知に基づき当該携帯電話の移動を認識する第５のステップと、当該管理端末が前記第５のステップの認識に基づき最寄りのアンテナ装置を介し当該携帯電話に対して制限解除信号を送信する第６のステップと、当該携帯電話が制限解除信号を受信して自己の使用制限を解除する第７のステップと、当該管理端末が当該使用制限エリア内の全ての携帯電話の最新位置情報を指向性アンテナ装置から最寄りのアンテナ装置を介して管理センタに通知し、管理センタがその通知に基づき位置情報の登録内容を更新する第８のステップとからなり、使用制限エリア内携帯電話呼び出し時の処理が、制限エリア外エリア内の電話が使用制限エリア内の携帯電話に電話呼び出しを行う第９のステップと、位置情報の登録内容によって当該携帯電話が使用制限エリア内に存在していることを確認した管理センタが、呼び出し元の電話の存在する通常エリア内のアンテナ装置から当該電話に「通話先の携帯電話が使用制限エリアにある旨」を示すメッセージ信号を送信する第１０のステップと、当該電話が上記のメッセージ信号を受信し、その保有者が「通話先の携帯電話が使用制限エリアに存在し通話できないこと」を認識する第１１のステップとからなる携帯電話使用制限方法として実現することも可能である。
【００１６】
なお、本発明の携帯電話使用制限方法は、通常エリア内に設けられた移動しうる使用制限エリアを有する携帯電話管理システムにおいて、上記の第１のステップ〜第１１のステップに加えて、通常エリア間使用制限エリア移動時の処理が、ある使用制限エリアがある通常エリアから他の通常エリアに移動した場合に、当該使用制限エリア内の管理端末がその移動を認識するステップと、当該管理端末が当該使用制限エリアおよびその中の全ての携帯電話の最新位置情報を指向性アンテナ装置から移動先の通常エリアのアンテナ装置を介して管理センタに通知し、管理センタがその通知に基づき位置情報の登録内容を更新するステップとを有するように構成することも可能である。
【００１７】
さらに、本発明は、携帯電話管理システムにおいて、各使用制限エリアに対する管理端末を、指向性アンテナ装置で収集された位置情報を把握することにより、携帯電話が当該管理端末により管理されている使用制限エリア内に入ってきたことや携帯電話が当該使用制限エリア外に出ていったことを示す情報を管理し、その旨を示す情報を指向性アンテナ装置から最寄りのアンテナ装置を介して管理センタに送信する位置情報管理手段，ならびに携帯電話が使用制限エリア内に移動した場合に指向性アンテナ装置を介して当該携帯電話に対して使用制限信号を送信し、携帯電話が使用制限エリア外に移動した場合に指向性アンテナ装置および最寄りのアンテナ装置を介して当該携帯電話に制限解除信号を送信する使用制限制御手段として機能させるためのプログラムの態様で実現することも可能である。
【００１８】
加えて、本発明は、携帯電話管理システムにおいて、各使用制限エリアに対する管理端末を、指向性アンテナ装置で収集された位置情報を把握することにより、携帯電話が当該管理端末により管理されている使用制限エリア内に入ってきたことや携帯電話が当該使用制限エリア外に出ていったことを示す情報を管理し、その旨を示す情報を指向性アンテナ装置から最寄りのアンテナ装置を介して管理センタに送信する位置情報管理手段，携帯電話が使用制限エリア内に移動した場合に指向性アンテナ装置を介して当該携帯電話に対して使用制限信号を送信し、携帯電話が使用制限エリア外に移動した場合に指向性アンテナ装置および最寄りのアンテナ装置を介して当該携帯電話に制限解除信号を送信する使用制限制御手段，ならびに自己が管理する使用制限エリアが通常エリア間を移動した場合に、当該使用制限エリアおよびその中に存在する携帯端末が移動先の通常エリアに所属するようになったことおよび移動元の通常エリアに所属しなくなったことを示す情報を管理センタに通知することにより、管理センタ内の位置情報管理部の登録情報の更新を促すための制御を行うエリア間移動管理手段として機能させるためのプログラムの態様で実現することも可能である。
【発明の効果】
【００１９】
本発明の携帯電話使用制限方式／携帯電話使用制限方法によると、指向性アンテナ装置が設置された使用制限エリアを従来から存在する通常エリア内に設定することにより、公共の場所などでの携帯電話の使用を適切に制限することが可能になるという効果が生じる。しかも、以下のａおよびｂに示すように、その使用制限の態様の確実性および多様性を確保することができるようになる。
【００２０】
ａ．使用制限エリア内であれば携帯電話がどこに存在しても指向性アンテナ装置で電源がオン状態の携帯電話を検知することができるので、「携帯電話の使用が制限される建物の入口を通過する時点で携帯電話の電源をオフ状態として当該建物の中に入り、簡易基地局装置からの電波が届かない当該建物の中で電源をオンとした場合には、通話が可能となってしまう」という問題が生じなくなる。
【００２１】
ｂ．特定のエリア（使用制限エリア）として電車内やバス内等の移動するエリアが考慮されており、携帯電話の保有者が電車やバス等に乗車して移動した場合にも、そのような移動を示す情報を管理センタで適切に管理することができる（使用制限エリア内の管理端末から管理センタにそのような情報を通知する仕組みが提供されている）ので、移動する使用制限エリアにおいても携帯電話の適切な使用制限が可能になる。
【発明を実施するための最良の形態】
【００２２】
次に、本発明について図面を参照して詳細に説明する。
【００２３】
本発明は、以下の各実施例に示すように、管理センタによって携帯電話の位置情報が管理されている携帯電話管理システムにおいて、特定のエリア（図１中の使用制限エリア２００）における携帯電話の適切な使用制限（電源のオフ等）を可能とする携帯電話使用制限方式／携帯電話使用制限方法を実現している。
【実施例１】
【００２４】
図１は、本発明の第１の実施例に係る携帯電話使用制限方式の構成を示すブロック図である。
【００２５】
図１を参照すると、本実施例に係る携帯電話使用制限方式は、管理センタ１００によって管理される複数の携帯電話１０と、位置情報管理部１０１を有する管理センタ１００と、使用制限エリア２００と、使用制限エリア２００を含みアンテナ装置３０１によって自エリア内の携帯電話１０に対する電話網を形成する通常エリア３００（従来と同様のエリア）とを含んで構成されている。
【００２６】
使用制限エリア２００は、通常エリア３００の中にある特別な空間であり、本発明のためのシステム（携帯電話使用制限システム）が起動してない場合には、通常エリア３００内の従来通りの空間となる。
【００２７】
本実施例における使用制限エリア２００としては、本屋，図書館，コンサートホール等の公共の場所（固定的な場所）における使用制限エリア２００（移動しない使用制限エリア２００）が該当する。当該使用制限エリア２００は、その使用制限エリア２００における指向性アンテナ装置２０１の影響下（管理下）にあり、その使用制限エリア２００に設置されている管理端末２０２によって管理されている。
【００２８】
すなわち、使用制限エリア２００には、当該使用制限エリア２００内の携帯電話１０の位置情報を受信し、当該使用制限エリア２００内の携帯電話１０に対して信号を発信する指向性アンテナ装置（指向性のあるアンテナ装置）２０１と、指向性アンテナ装置２０１を使用して使用制限エリア２００内の携帯電話１０の管理・制御を行う管理端末２０２とが存在する。
【００２９】
指向性アンテナ装置２０１は、当該使用制限エリア２００内にある携帯電話１０が送信する位置情報を収集し、収集した位置情報を管理端末２０２に送る機能を持つ。また、管理端末２０２からの指示に基づき、最寄りのアンテナ装置３０１（自己が存在する通常エリア３００内のアンテナ装置３０１）に携帯電話１０の位置情報を送信する機能を持つ。この指向性アンテナ装置２０１は、当該使用制限エリア２００内に存在する携帯電話１０に対しては、最寄りのアンテナ装置３０１の影響力を排して自己が影響力を及ぼす。
【００３０】
管理端末２０２は、位置情報管理手段２０３と、使用制限制御手段２０４とを含んで構成されている。
【００３１】
管理端末２０２内の位置情報管理手段２０３は、指向性アンテナ装置２０１で収集された位置情報を把握し、携帯電話１０が当該管理端末２０２により管理されている使用制限エリア２００内に入ってきたことや、携帯電話１０が当該使用制限エリア２００の外に出ていったことを示す情報を管理し、その旨を示す情報を指向性アンテナ装置２０１から最寄りのアンテナ装置３０１（当該管理端末２０２により管理される使用制限エリア２００が存在する通常エリア３００のアンテナ装置３０１）に送信する指示を行う機能を持つ。これによって、当該管理端末２０２は、自己が管理する使用制限エリア２００に携帯電話１０が出入りすることによって位置情報に変化があれば、絶えず、最寄りのアンテナ装置３０１に最新の位置情報を送信する。なお、使用制限エリア２００に携帯電話１０が入ることは、携帯電話１０が発信している位置情報の受信が可能になることで検知できる。また、使用制限エリア２００から携帯電話１０が出ることは、携帯電話１０が発信している位置情報の受信ができなくなることで検知できる。
【００３２】
管理端末２０２内の使用制限制御手段２０４は、携帯電話１０が使用制限エリア２００に入ってきた場合に、指向性アンテナ装置２０１を介して、当該携帯電話１０に対して使用制限信号を送信する。また、携帯電話１０が使用制限エリア２００から出ていった場合に、当該携帯電話１０に制限解除信号を送信するための制御を行う。
【００３３】
管理センタ１００内の位置情報管理部１０１における登録情報（位置情報の登録情報）の内容は、従来における携帯電話の位置を示す登録情報に、「各携帯電話１０が使用制限エリア２００に存在するか否か、存在する場合にはどの使用制限エリア２００に存在するかを示す情報」が追加されたものである（使用制限エリア２００は、従来技術にはない新しい空間であるので、その情報が位置情報管理部１０１に登録される必要がある）。
【００３４】
具体的には、位置情報管理部１０１における登録情報は、各通常エリア３００に対して、当該通常エリア３００内に包含される使用制限エリア２００を示す情報と、当該使用制限エリア２００に存在する携帯電話１０を示す情報と、当該通常エリア３００内の使用制限エリア２００以外のエリア（「制限エリア外エリア」と呼ぶ）に存在する携帯電話１０を示す情報とを有している。
【００３５】
各通常エリア３００は、各アンテナ装置３０１の影響下にあるエリア（従来の技術における携帯電話管理システムのエリアと同様のエリア）である。通常エリア３００内の制限エリア外エリアでは、従来と同様に、アンテナ装置３０１による電話網によって携帯電話１０に対する送受信が行われる。
【００３６】
携帯電話１０は、指向性アンテナ装置２０１／アンテナ装置３０１からの信号による電源のオン／オフ制御等の使用制限に関する制御が可能となっている。なお、携帯電話１０には、電源がオフ状態でも位置情報を発信する機能が追加されている。
【００３７】
携帯電話１０は、制限エリア外エリアでは、従来と同様に、最寄りのアンテナ装置３０１（自己が存在する通常エリア３００のアンテナ装置３０１）を介して、最新の位置情報を管理する管理センタ１００に、自己の位置情報を通知（発信）する。すなわち、アンテナ装置３０１が、携帯電話１０の位置情報の収集を行い、収集した位置情報を管理センタ１００に送信する（その位置情報は位置情報管理部１０１に設定される）。
【００３８】
なお、携帯電話１０は、管理端末２０２からの使用制限信号に基づき、自動的に自己の使用制限（電源のオフ等）の制御を行う機能を有する。また、管理端末２０２からの制限解除信号に基づき、自動的に自己の使用制限の解除（電源のオン等）の制御を行う機能を有する。
【００３９】
図２は、図１に示す携帯電話使用制限方式における携帯電話使用制限エリア内移動時の処理を示す流れ図である。この処理は、携帯電話使用制限エリア内移動ステップＡ１と、携帯電話移動通知ステップＡ２と、使用制限信号送信ステップＡ３と、携帯電話使用制限ステップＡ４と、最新位置情報通知ステップＡ５とからなる。
【００４０】
図３は、図１に示す携帯電話使用制限方式における携帯電話使用制限エリア外移動時の処理を示す流れ図である。この処理は、携帯電話使用制限エリア外移動ステップＢ１と、携帯電話移動通知ステップＢ２と、制限解除信号送信ステップＢ３と、携帯電話使用制限解除ステップＢ４と、最新位置情報通知ステップＢ５とからなる。
【００４１】
図４は、図１に示す携帯電話使用制限方式における使用制限エリア内携帯電話呼び出し時の処理を示す流れ図である。この処理は、携帯電話位置情報登録済みステップＣ０と、使用制限エリア内携帯電話呼び出しステップＣ１と、メッセージ信号送信ステップＣ２と、メッセージ信号受信ステップＣ３とからなる。
【００４２】
図５は、図１に示す携帯電話使用制限方式における携帯電話使用制限システム停止時の処理を示す流れ図である。この処理は、携帯電話位置情報登録済みステップＤ０と、携帯電話位置情報設定変更ステップＤ１と、変更後位置情報通知ステップＤ２と、制限解除信号送信ステップＤ３と、携帯電話使用制限解除ステップＤ４とからなる。
【００４３】
図６は、図１に示す携帯電話使用制限方式における携帯電話使用制限システム起動時の処理を示す流れ図である。この処理は、使用制限エリア発生ステップＥ１と、携帯電話位置情報検知ステップＥ２と、使用制限信号送信ステップＥ３と、携帯電話使用制限ステップＥ４と、最新位置情報通知ステップＥ５とからなる。
【００４４】
次に、上記のように構成された本実施例に係る携帯電話使用制限方式の動作について詳細に説明する。
【００４５】
第１に、ある携帯電話１０（携帯電話１０−１とする）の保有者がある使用制限エリア２００（指向性アンテナ装置２０１−１および管理端末２０２−１を有する使用制限エリア２００−１とする）に入る場合（携帯電話１０−１の使用制限エリア２００−１内への移動時）の動作について説明する（図２参照）。
【００４６】
まず、携帯電話１０−１の保有者が使用制限エリア２００−１に入るものとする。すなわち、携帯電話１０−１が使用制限エリア２００−１内に移動する（ステップＡ１）。
【００４７】
使用制限エリア２００−１に設置されている指向性アンテナ装置２０１−１は、携帯電話１０−１が発信している位置情報を受信することにより、携帯電話１０−１の使用制限エリア２００−１への移動を自動的に検知し、その旨を示す情報を管理端末２０２−１に通知する（ステップＡ２）。管理端末２０２−１（その中の位置情報管理手段２０３）は、その通知によって、携帯電話１０−１の移動を認識する。
【００４８】
管理端末２０２−１（その中の使用制限制御手段２０４）は、上記の認識に基づき、使用制限エリア２００−１に入ってきた携帯電話１０−１に対して、使用制限信号を送信する（ステップＡ３）。ここで、使用制限信号としては、携帯電話１０の電源のオフを指示する信号や、「今、使用できないエリアにいる」といったメッセージを示す警告信号等が考えられる。
【００４９】
携帯電話１０−１は、管理端末２０２−１からの使用制限信号を受信して、自己の使用制限の制御（電源のオフや警告メッセージの表示等）を行う（ステップＡ４）。なお、警告信号の送信に基づく警告メッセージの表示という内容の使用制限の場合には、警告メッセージを受けた携帯電話１０−１の使用者（保有者）が個々の判断で電源をオフにしたりマナーモードに設定することとなる。
【００５０】
ここで、使用制限の内容としては、上記の他に、例えば、電子メールの送受信のみを可能とするようにしマナーモードへの設定を指示することが考えられる。また、使用制限の内容が電源のオフである場合に、携帯電話１０側で使用制限信号を受信してから電源のオフを実行するまでに、一定時間の猶予を設定することも可能である。さらに、使用制限の内容を段階的に制御し、複数の内容の使用制限を段階的に携帯電話１０に対して適用することも考えられる。
【００５１】
管理端末２０２−１（その中の位置情報管理手段２０３）は、使用制限エリア２００−１の最新位置情報（携帯電話１０−１の使用制限エリア２００−１内への移動に基づき変化した当該使用制限エリア２００−１内の全ての携帯電話１０の位置情報）を、指向性アンテナ装置２０１−１から、最寄りのアンテナ装置３０１（アンテナ装置３０１−１とする）に送信する。アンテナ装置３０１−１は、当該最新位置情報を管理センタ１００に通知する（ステップＡ５）。
【００５２】
第２に、ある携帯電話１０（携帯電話１０−１とする）の保有者がある使用制限エリア２００（指向性アンテナ装置２０１−１および管理端末２０２−１を有する使用制限エリア２００−１とする）から出る場合（携帯電話１０−１の使用制限エリア２００−１外への移動時）の動作について説明する（図３参照）。
【００５３】
まず、携帯電話１０−１の保有者が使用制限エリア２００−１から出るものとする。すなわち、携帯電話１０−１が使用制限エリア２００−１外に移動する（ステップＢ１）。
【００５４】
指向性アンテナ装置２０１−１は、その旨（携帯電話１０−１が使用制限エリア２００−１に存在しなくなった旨）を自動的に検知し、その旨を示す情報を管理端末２０２−１に通知する（ステップＢ２）。管理端末２０２−１（その中の位置情報管理手段２０３）は、その通知によって、携帯電話１０−１の移動を認識する。
【００５５】
管理端末２０２−１（その中の使用制限制御手段２０４）は、上記の認識に基づき、最寄りのアンテナ装置３０１（アンテナ装置３０１−１とする）を介して、使用制限エリア２００−１から出た携帯電話１０−１に対して、制限解除信号（電源のオンを指示する信号等）を送信する（ステップＢ３）。
【００５６】
携帯電話１０−１は、管理端末２０２−１からの制限解除信号を受信して、自己の使用制限を解除する（ステップＢ４）。例えば、電源のオンを指示する信号を受信して、携帯電話１０−１の電源をオンにして使用可能とする制御を行う。
【００５７】
管理端末２０２−１（その中の位置情報管理手段２０３）は、使用制限エリア２００−１の最新位置情報（携帯電話１０−１の使用制限エリア２００−１外への移動に基づき変化した当該使用制限エリア２００−１内の全ての携帯電話１０の位置情報）を、指向性アンテナ装置２０１−１から、最寄りのアンテナ装置３０１−１に送信する。アンテナ装置３０１−１は、当該最新位置情報を管理センタ１００に通知する（ステップＢ５）。
【００５８】
第３に、通常エリア３００内の使用制限エリア２００以外のエリア（制限エリア外エリア）内の電話（この電話は携帯電話に限られないが、ここでは、携帯電話１０−２とする）から使用制限エリア２００（使用制限エリア２００−１とする）内の携帯電話１０（携帯電話１０−１とする）に電話の呼び出しを行う場合の動作について説明する（図４参照）。
【００５９】
ここで、以下の処理の前提として、使用制限エリア２００−１内の携帯電話１０−１の位置情報は、管理センタ１００内の位置情報管理部１０１に登録されている（ステップＣ０）。
【００６０】
まず、制限エリア外エリア内の携帯電話１０−２から使用制限エリア２００−１内の携帯電話１０−１への電話の呼び出しが行われるものとする（ステップＣ１）。
【００６１】
管理センタ１００は、位置情報管理部１０１で管理されている位置情報の登録情報により、携帯電話１０−１が使用制限エリア２００−１内に存在していることを確認し、携帯電話１０−２が存在する通常エリア３００内のアンテナ装置３０１から携帯電話１０−２に「通話先の携帯電話１０が使用制限エリア２００にある旨」を示すメッセージ信号（「電源が入っていないか、今、出ることができない」といった旨のメッセージ等を有する信号）を送信する（ステップＣ２）。
【００６２】
携帯電話１０−２は管理センタ１００から上記のメッセージ信号を受信し、携帯電話１０−２の保有者は「通話先の携帯電話１０が使用制限エリア２００に存在し通話できないこと」を認識する（ステップＣ３）。
【００６３】
一方、使用制限エリア２００−１内の携帯電話１０−１は使用制限を受けているため、携帯電話１０−１の保有者は電話１０−２から電話の呼び出しがあったことを確認できないこととなる。
【００６４】
なお、携帯電話１０−１が制限エリア外エリアに存在することとなった場合には、携帯電話１０−１と携帯電話１０−２とが通常通りに通話可能となることはいうまでもない。
【００６５】
第４に、本実施例の携帯電話使用制限方式を提供するシステム（携帯電話使用制限システム）の動作を停止した場合の動作について説明する（図５参照）。
【００６６】
ここで、以下の処理の前提として、各使用制限エリア２００内の各携帯電話１０の位置情報は、管理センタ１００内の位置情報管理部１０１に登録されている（ステップＤ０）。
【００６７】
停電や意図的に携帯電話使用制限システムの動作を停止した場合には、各使用制限エリア２００の管理端末２０２は、管理センタ１００からの指示を受けてシステム停止モードとなる。システム停止モードとなった管理端末２０２（その中の位置情報管理手段２０３）は、当該使用制限エリア２００内にある全ての携帯電話１０の位置情報を制限エリア外エリア内の情報として設定変更し（ステップＤ１）、その変更後の位置情報を指向性アンテナ装置２０１から最寄りのアンテナ装置３０１を介して管理センタ１００に通知する（ステップＤ２）。
【００６８】
また、管理端末２０２（その中の使用制限制御手段２０４）は、指向性アンテナ装置２０１から、自己が管理する使用制限エリア２００内にある全ての携帯電話１０に対して、制限解除信号（電源のオンを指示する信号等）を送信する（ステップＤ３）。
【００６９】
使用制限エリア２００内に存在する各携帯電話１０は、管理端末２０２からの制限解除信号を受信して、自己の使用制限を解除する制御を行う（ステップＤ４）。
【００７０】
上記の処理により、使用制限エリア２００は従来通りの通常エリア３００の空間（制限エリア外エリア）になり、携帯電話１０の保有者は当該携帯電話１０の通常の使用（従来通りの通常エリア３００での携帯電話１０の使用）が可能となる。
【００７１】
第５に、本実施例の携帯電話使用制限方式を提供するシステム（携帯電話使用制限システム）の起動を行った場合の動作について説明する（図６参照）。
【００７２】
停止していた携帯電話使用制限システムが起動した場合には、各管理端末２０２は管理センタ１００からの指示によりシステム起動モードとなり、通常エリア３００の中に当該管理端末２０２によって管理される使用制限エリア２００の空間が発生する（ステップＥ１）。
【００７３】
各使用制限エリア２００内の全ての携帯電話１０の位置情報は、当該使用制限エリア２００内の指向性アンテナ装置２０１により自動的に検知され、当該使用制限エリア２００内の管理端末２０２に通知される（ステップＥ２）。管理端末２０２（その中の位置情報管理手段２０３）は、その通知によって、各携帯電話１０の位置情報を認識する。
【００７４】
管理端末２０２（その中の使用制限制御手段２０４）は、上記の認識に基づき、自己が存在する使用制限エリア２００内の全ての携帯電話１０に対して、使用制限信号（電源のオフを指示する信号や、「今、使用できないエリアにいる」といったメッセージを有する警告信号等）を送信する（ステップＥ３）。
【００７５】
携帯電話１０は、管理端末２０２からの使用制限信号を受信して、自己の使用制限の制御を行う（ステップＥ４）。
【００７６】
管理端末２０２（その中の位置情報管理手段２０３）は、自己が管理する使用制限エリア２００の最新位置情報（当該使用制限エリア２００内の全ての携帯電話１０の位置情報）を指向性アンテナ装置２０１から、最寄りのアンテナ装置３０１に送信する。当該アンテナ装置３０１は、当該最新位置情報を管理センタ１００に通知する（ステップＥ５）。
【００７７】
上記の処理によって、携帯電話使用制限システムが起動する。以後においては、使用制限エリア２００内／外への携帯電話１０の移動や、制限エリア外エリア内の電話からの使用制限エリア２００内の携帯電話１０への電話の呼び出しが生じると、上述の図２〜図４に示す処理（動作）が行われる。
【実施例２】
【００７８】
図７は、本発明の第２の実施例に係る携帯電話使用制限方式の構成を示すブロック図である。
【００７９】
図７を参照すると、本実施例に係る携帯電話使用制限方式は、管理センタ１００によって管理される複数の携帯電話１０と、位置情報管理部１０１を有する管理センタ１００と、使用制限エリア２００と、使用制限エリア２００を含みアンテナ装置３０１によって自エリア内の携帯電話１０に対する電話網を形成する通常エリア３００（従来と同様のエリア）とを含んで構成されている。
【００８０】
本実施例における使用制限エリア２００としては、電車内やバス内等の移動するエリアにおける使用制限エリア２００（移動する使用制限エリア２００）が該当する（ただし、本実施例においても、第１の実施例における場合と同様の本屋，図書館，コンサートホール等の固定的な場所における使用制限エリア２００（移動しない使用制限エリア２００）も存在しうる）。第１の実施例の場合と同様に、当該使用制限エリア２００は、その使用制限エリア２００における指向性アンテナ装置２０１の影響下（管理下）にあり、その使用制限エリア２００に設置されている管理端末２０２によって管理されている。
【００８１】
電車内やバス内のエリア等のように移動する使用制限エリア２００における管理端末２０２は、図１中の各手段と同様の位置情報管理手段２０３および使用制限制御手段２０４とともに、エリア間移動管理手段２０５を含んで構成されている。
【００８２】
管理端末２０２内のエリア間移動管理手段２０５は、当該管理端末２０２によって管理される使用制限エリア２００が通常エリア３００間を移動した場合に、当該使用制限エリア２００およびその中に存在する携帯端末１０が移動先の通常エリア３００に所属するようになったことを示す位置情報を、管理センタ１００内の位置情報管理部１０１に登録するように制御する。また、その時に、当該使用制限エリア２００が移動して存在しなくなった通常エリア３００（移動元の通常エリア３００）に対して登録されていた位置情報（当該使用制限エリア２００およびその中に存在する携帯電話１０の位置情報）を位置情報管理部１０１から削除するための制御を行う。
【００８３】
これによって、移動する使用制限エリア２００内の管理端末２０２は、当該使用制限エリア２００が通常エリア３００間を移動した場合に、絶えず、その旨を最寄りのアンテナ装置３０１を介して管理センタ１００に送信することが可能になる。
【００８４】
図８は、図７に示す携帯電話使用制限方式における通常エリア間使用制限エリア移動時の処理を示す流れ図である。この処理は、使用制限エリア通常エリア間移動ステップＦ１と、使用制限エリア移動認識ステップＦ２と、最新位置情報通知ステップＦ３とからなる。
【００８５】
なお、図２〜図６は、本実施例に係る携帯電話使用制限方式における処理を示す流れ図にも該当する。
【００８６】
次に、上記のように構成された本実施例に係る携帯電話使用制限方式の動作について、本実施例に特有の動作を中心にして説明する。
【００８７】
まず、図２〜図６に示す処理（動作）は、本実施例の場合も、第１の実施例の場合の処理（動作）と同様なものとなる。
【００８８】
続いて、電車内のエリアのような移動する使用制限エリア２００が通常エリア３００間を移動する場合の動作について説明する（図８参照）。この動作が、本実施例に特有の動作に該当する。
【００８９】
ここでは、ある使用制限エリア２００（指向性アンテナ装置２０１−１および管理端末２０２−１を有する使用制限エリア２００−１とする）が、ある通常エリア３００（通常エリア３００−１とする）から他の通常エリア３００（通常エリア３００−２とする）に移動したものとする（ステップＦ１）。
【００９０】
この時には、使用制限エリア２００−１内の管理端末２０２−１（その中のエリア間移動管理手段２０５）は、その移動を認識する（ステップＦ２）。そして、使用制限エリア２００−１の最新位置情報（使用制限エリア２００−１の位置を示す情報および使用制限エリア２００−１内の全ての携帯電話１０の位置情報）を、指向性アンテナ装置２０１−１から、最寄りのアンテナ装置３０１−２（移動先の通常エリア３００におけるアンテナ装置３０１）を介して、管理センタ１００に通知する（ステップＦ３）。
【００９１】
管理センタ１００は、当該最新位置情報に基づいて、位置情報管理部１０１内の登録情報を更新する（使用制限エリア２００−１およびその中の全ての携帯電話１０が通常エリア３００−１に存在しなくなり通常エリア３００−２に存在するようになったことを示すように更新する）。
【実施例３】
【００９２】
次に、本発明の第３の実施例に係る携帯電話使用制限方法について説明する。
【００９３】
本実施例に係る携帯電話使用制限方法は、図１に示すような携帯電話管理システムに適用されるものであり、以下のａ〜ｅに示す第１のステップ〜第２０のステップを有している。
【００９４】
ａ．携帯電話使用制限エリア内移動時の処理は、携帯電話１０が使用制限エリア２００内に移動した場合に、当該使用制限エリア２００内の管理端末２０２が指向性アンテナ装置２０１による検知に基づき当該携帯電話１０の移動を認識する第１のステップと、当該管理端末２０２が第１のステップの認識に基づき当該携帯電話１０に対して使用制限信号を送信する第２のステップと、当該携帯電話１０が使用制限信号を受信して自己の使用制限の制御を行う第３のステップと、当該管理端末２０２が当該使用制限エリア２００の最新位置情報（当該使用制限エリア２００内の全ての携帯電話１０の位置情報）を指向性アンテナ装置２０１から最寄りのアンテナ装置３０１を介して管理センタ１００に通知し、管理センタ１００がその通知に基づき位置情報管理部１０１の登録情報を更新する第４のステップとからなる。
【００９５】
ｂ．携帯電話使用制限エリア外移動時の処理は、携帯電話１０が使用制限エリア２００外に移動した場合に、当該使用制限エリア２００内の管理端末２０２が指向性アンテナ装置２０１による検知に基づき当該携帯電話１０の移動を認識する第５のステップと、当該管理端末２０２が第５のステップの認識に基づき最寄りのアンテナ装置３０１を介し当該携帯電話１０に対して制限解除信号を送信する第６のステップと、当該携帯電話１０が制限解除信号を受信して自己の使用制限を解除する第７のステップと、当該管理端末２０２が当該使用制限エリア２００の最新位置情報（当該使用制限エリア２００内の全ての携帯電話１０の位置情報）を指向性アンテナ装置２０１から最寄りのアンテナ装置３０１を介して管理センタ１００に通知し、管理センタ１００がその通知に基づき位置情報管理部１０１の登録情報を更新する第８のステップとからなる。
【００９６】
ｃ．使用制限エリア内携帯電話呼び出し時の処理は、制限エリア外エリア内の電話が使用制限エリア２００内の携帯電話１０に電話呼び出しを行う第９のステップと、管理センタ１００が、位置情報管理部１０１で管理されている位置情報の登録情報により、当該携帯電話１０が使用制限エリア２００内に存在していることを確認し、呼び出し元の電話が存在する通常エリア３００内のアンテナ装置３０１から当該電話に「通話先の携帯電話１０が使用制限エリア２００にある旨」を示すメッセージ信号を送信する第１０のステップと、当該電話が上記のメッセージ信号を受信し、その保有者が「通話先の携帯電話１０が使用制限エリア２００に存在し通話できないこと」を認識する第１１のステップとからなる。
【００９７】
ｄ．携帯電話使用制限システム停止時の処理は、携帯電話使用制限システムの動作を停止した場合に、各使用制限エリア２００の管理端末２０２が管理センタ１００からの指示を受けてシステム停止モードとなり、当該各管理端末２０２が自己の管理する使用制限エリア２００内にある全ての携帯電話１０の位置情報を制限エリア外エリア内の情報として設定変更する第１２のステップと、当該各管理端末２０２が第１２のステップの設定変更後の位置情報を指向性アンテナ装置２０１から最寄りのアンテナ装置３０１を介して管理センタ１００に通知する第１３のステップと、当該各管理端末２０２が自己の管理する使用制限エリア２００内にある全ての携帯電話１０に対して制限解除信号を送信する第１４のステップと、各携帯電話１０が制限解除信号を受信して自己の使用制限を解除する第１５のステップとからなる。
【００９８】
ｅ．携帯電話使用制限システム起動時の処理は、停止していた携帯電話使用制限システムが起動した場合に、各管理端末２０２が管理センタ１００からの指示によりシステム起動モードとなる（通常エリア３００の中に当該管理端末２０２によって管理される使用制限エリア２００の空間が発生する）第１６のステップと、各使用制限エリア２００内の管理端末２０２が当該使用制限エリア２００内の全ての携帯電話１０の位置情報を指向性アンテナ装置２０１による検知に基づき認識する第１７のステップと、当該各管理端末２０２が第１７のステップの認識に基づき自己の存在する使用制限エリア２００内の全ての携帯電話１０に対して使用制限信号を送信する第１８のステップと、各携帯電話１０が使用制限信号を受信して自己の使用制限の制御を行う第１９のステップと、各管理端末２０２が自己の管理する使用制限エリア２００の最新位置情報（当該使用制限エリア２００内の全ての携帯電話１０の位置情報）を指向性アンテナ装置２０１から最寄りのアンテナ装置３０１を介して管理センタ１００に通知する第２０のステップとからなる。
【００９９】
ここで、上記の図２〜図６は、本発明の第３の実施例に係る携帯電話使用制限方法の処理手順を示す流れ図にも該当する。
【０１００】
この場合に、上記の第１のステップは図２中のステップＡ１およびステップＡ２に該当し、第２のステップ〜第４のステップは図２中のステップＡ３〜ステップＡ５に該当し、第５のステップは図３中のステップＢ１およびステップＢ２に該当し、第６のステップ〜第８のステップは図３中のステップＢ３〜ステップＢ５に該当し、第９のステップ〜第１１のステップは図４中のステップＣ１〜ステップＣ３に該当し、第１２のステップ〜第１５のステップは図５中のステップＤ１〜ステップＤ４に該当し、第１６のステップ〜第２０のステップは図６中のステップＥ１〜ステップＥ５に該当する。
【０１０１】
なお、本実施例に係る携帯電話使用制限方法の動作は、上記の第１の実施例に係る携帯電話使用制限方式の説明で述べた図２〜図６に示す動作（処理）の内容と同様のものになる。
【実施例４】
【０１０２】
次に、本発明の第４の実施例に係る携帯電話使用制限方法について説明する。
【０１０３】
本実施例に係る携帯電話使用制限方法は、図７に示すような携帯電話管理システムに適用されるものであり、上述の第３の実施例における第１のステップ〜第２０のステップと、通常エリア間使用制限エリア移動時の処理である下記の第２１のステップ〜第２２のステップとを有している。
【０１０４】
すなわち、通常エリア間使用制限エリア移動時の処理は、ある使用制限エリア２００がある通常エリア３００から他の通常エリア３００に移動した場合に、当該使用制限エリア２００内の管理端末２０２がその移動を認識する第２１のステップと、当該管理端末２０２が当該使用制限エリア２００の最新位置情報（当該使用制限エリア２００の位置を示す情報および当該使用制限エリア２００内の全ての携帯電話１０の位置情報）を指向性アンテナ装置２０１から移動先の通常エリア３００のアンテナ装置３０１（最寄りのアンテナ装置３０１）を介して管理センタ１００に通知し、管理センタ１００がその通知に基づき位置情報管理部１０１の登録情報を更新する第２２のステップとからなる。
【０１０５】
ここで、上記の図２〜図６および図８は、本発明の第４の実施例に係る携帯電話使用制限方法の処理手順を示す流れ図にも該当する。
【０１０６】
この場合に、第１のステップは図２中のステップＡ１およびステップＡ２に該当し、第２のステップ〜第４のステップは図２中のステップＡ３〜ステップＡ５に該当し、第５のステップは図３中のステップＢ１およびステップＢ２に該当し、第６のステップ〜第８のステップは図３中のステップＢ３〜ステップＢ５に該当し、第９のステップ〜第１１のステップは図４中のステップＣ１〜ステップＣ３に該当し、第１２のステップ〜第１５のステップは図５中のステップＤ１〜ステップＤ４に該当し、第１６のステップ〜第２０のステップは図６中のステップＥ１〜ステップＥ５に該当し、上記の第２１のステップは図８中のステップＦ１およびステップＦ２に該当し、第２２のステップは図８中のステップＦ３に該当する。
【０１０７】
なお、本実施例に係る携帯電話使用制限方法の動作は、上記の第２の実施例に係る携帯電話使用制限方式の説明で述べた図２〜図６および図８に示す動作（処理）の内容と同様のものになる。
【実施例５】
【０１０８】
図９は、本発明の第５の実施例の構成を示すブロック図である。
【０１０９】
図９を参照すると、本発明の第５の実施例は、図１に示した携帯電話使用制限方式に対して、使用制限エリア管理制御プログラム９００を備える点が異なっている。
【０１１０】
使用制限エリア管理制御プログラム９００は、図１に示すような携帯電話管理システムにおける各管理端末２０２に読み込まれ、当該各管理端末２０２の動作を、位置情報管理手段２０３および使用制限制御手段２０４として制御する。使用制限エリア管理制御プログラム９００の制御による管理端末２０２の動作は、図１に示す携帯電話使用制限方式における位置情報管理手段２０３および使用制限制御手段２０４の動作と全く同様になるので、その詳しい説明を割愛する。
【実施例６】
【０１１１】
図１０は、本発明の第６の実施例の構成を示すブロック図である。
【０１１２】
図１０を参照すると、本発明の第６の実施例は、図７に示した携帯電話使用制限方式に対して、使用制限エリア管理制御プログラム１０００を備える点が異なっている。
【０１１３】
使用制限エリア管理制御プログラム１０００は、図７に示すような携帯電話管理システムにおける各管理端末２０２に読み込まれ、当該各管理端末２０２の動作を、位置情報管理手段２０３，使用制限制御手段２０４，およびエリア間移動管理手段２０５として制御する。使用制限エリア管理制御プログラム１０００の制御による管理端末２０２の動作は、図７に示す携帯電話使用制限方式における位置情報管理手段２０３，使用制限制御手段２０４，およびエリア間移動管理手段２０５の動作と全く同様になるので、その詳しい説明を割愛する。
【図面の簡単な説明】
【０１１４】
【図１】本発明の第１の実施例に係る携帯電話使用制限方式の構成を示すブロック図である。
【図２】図１に示す携帯電話使用制限方式における携帯電話使用制限エリア内移動時の処理を示す流れ図であり、本発明の第３の実施例および第４の実施例に係る携帯電話使用制限方法の処理手順を示す流れ図でもある。
【図３】図１に示す携帯電話使用制限方式における携帯電話使用制限エリア外移動時の処理を示す流れ図であり、本発明の第３の実施例および第４の実施例に係る携帯電話使用制限方法の処理手順を示す流れ図でもある。
【図４】図１に示す携帯電話使用制限方式における使用制限エリア内携帯電話呼び出し時の処理を示す流れ図であり、本発明の第３の実施例および第４の実施例に係る携帯電話使用制限方法の処理手順を示す流れ図でもある。
【図５】図１に示す携帯電話使用制限方式における携帯電話使用制限システム停止時の処理を示す流れ図であり、本発明の第３の実施例および第４の実施例に係る携帯電話使用制限方法の処理手順を示す流れ図でもある。
【図６】図１に示す携帯電話使用制限方式における携帯電話使用制限システム起動時の処理を示す流れ図であり、本発明の第３の実施例および第４の実施例に係る携帯電話使用制限方法の処理手順を示す流れ図でもある。
【図７】本発明の第２の実施例に係る携帯電話使用制限方式の構成を示すブロック図である。
【図８】図７に示す携帯電話使用制限方式における通常エリア間使用制限エリア移動時の処理を示す流れ図であり、本発明の第４の実施例に係る携帯電話使用制限方法の処理手順を示す流れ図でもある。
【図９】本発明の第５の実施例の構成を示すブロック図である。
【図１０】本発明の第６の実施例の構成を示すブロック図である。
【符号の説明】
【０１１５】
１０  携帯端末
１００  管理センタ
１０１  位置情報管理部
２００  使用制限エリア
２０１  指向性アンテナ装置
２０２  管理端末
２０３  位置情報管理手段
２０４  使用制限制御手段
２０５  エリア間移動管理手段
３００  通常エリア
３０１  アンテナ装置
９００，１０００  使用制限エリア管理制御プログラム
Ａ１  携帯電話使用制限エリア内移動ステップ
Ａ２  携帯電話移動通知ステップ
Ａ３  使用制限信号送信ステップ
Ａ４  携帯電話使用制限ステップ
Ａ５  最新位置情報通知ステップ
Ｂ１  携帯電話使用制限エリア外移動ステップ
Ｂ２  携帯電話移動通知ステップ
Ｂ３  制限解除信号送信ステップ
Ｂ４  携帯電話使用制限解除ステップ
Ｂ５  最新位置情報通知ステップ
Ｃ０  携帯電話位置情報登録済みステップ
Ｃ１  使用制限エリア内携帯電話呼び出しステップ
Ｃ２  メッセージ信号送信ステップ
Ｃ３  メッセージ信号受信ステップ
Ｄ０  携帯電話位置情報登録済みステップ
Ｄ１  携帯電話位置情報設定変更ステップ
Ｄ２  変更後位置情報通知ステップ
Ｄ３  制限解除信号送信ステップ
Ｄ４  携帯電話使用制限解除ステップ
Ｅ１  使用制限エリア発生ステップ
Ｅ２  携帯電話位置情報検知ステップ
Ｅ３  使用制限信号送信ステップ
Ｅ４  携帯電話使用制限ステップ
Ｅ５  最新位置情報通知ステップ
Ｆ１  使用制限エリア通常エリア間移動ステップ
Ｆ２  使用制限エリア移動認識ステップ
Ｆ３  最新位置情報通知ステップ
【図１】
2005197979.tif 000003
【図２】
2005197979.tif 000004
【図３】
2005197979.tif 000005
【図４】
2005197979.tif 000006
【図５】
2005197979.tif 000007
【図６】
2005197979.tif 000008
【図７】
2005197979.tif 000009
【図８】
2005197979.tif 000010
【図９】
2005197979.tif 000011
【図１０】
2005197979.tif 000012